(57)【要約】【課題】通信機器が取得したＷＡＮ側のモニタ情報を、通信機器を使用しているユーザに簡便な手法で提供する。【解決手段】本発明の通信機器は、ＷＡＮから受信する主信号を終端して受信主信号として送出する主信号終端部と、主信号終端部にて検出するＷＡＮ側のモニタ情報を常時監視し、到来が検出されたモニタ情報を記憶するモニタ情報管理部とを備える。また、受信主信号が、ＨＴＭＬデータであった場合、モニタ情報管理部から取得したモニタ情報をＨＴＭＬデータの所定の部分に付加してモニタ情報付加データとして出力するデータ管理部を備える。さらに、受信したモニタ情報付加データをＬＡＮで接続されＨＴＭＬデータの受信要求を送出した端末に送出するＬＡＮ管理部を備える。【選択図】      図１
2012065156.tif 000002
【特許請求の範囲】
【請求項１】
ＷＡＮから受信する主信号を終端して受信主信号として送出する主信号終端部と、
前記主信号終端部にて検出する前記ＷＡＮ側のモニタ情報を常時監視し、到来が検出された前記モニタ情報を記憶するモニタ情報管理部と、
前記受信主信号が、ＨＴＭＬデータであった場合、前記モニタ情報管理部から取得した前記モニタ情報をＨＴＭＬデータの所定の部分に付加してモニタ情報付加データとして出力するデータ管理部と、
受信した前記モニタ情報付加データを、ＬＡＮで接続され前記ＨＴＭＬデータの受信要求を送出した端末に送出するＬＡＮ管理部と、
を備えていることを特徴とする通信機器。
【請求項２】
前記モニタ情報は、通信回線の瞬断回数、リンクアップ状態、或いは、リンクダウン状態などを示す情報である、
ことを特徴とする請求項１に記載の通信機器。
【請求項３】
前記通信機器は、さらに、前記主信号終端部に接続され、前記ＷＡＮの通信回線の回線接続制御を行う接続制御部を備え、
前記接続制御部は前記ＷＡＮ側のモニタ情報として前記通信回線のリンク速度を取得して前記モニタ情報管理部へ送出する、
ことを特徴とする請求項１或いは請求項２の何れかに記載の通信機器。
【請求項４】
前記通信機器は、さらに、前記主信号終端部に接続され、前記ＷＡＮの通信回線のパフォーマンスを測定するパフォーマンス測定部を備え、
前記パフォーマンス測定部は前記ＷＡＮ側のモニタ情報として前記通信回線の実効速度を取得して前記モニタ情報管理部へ送出する、
ことを特徴とする請求項１或いは請求項２の何れかに記載の通信機器。
【請求項５】
前記通信機器は、さらに、前記モニタ情報管理部に接続され、ネットワークの運用者から前記端末のユーザに伝達したい情報であるところの運用者情報を入力する運用者情報管理部を備え、
前記運用者情報管理部は、前記運用者情報として入力された伝達情報と置き換え条件情報を取得して前記モニタ情報管理部へ送出し、
前記データ管理部は、前記受信主信号が、ＨＴＭＬデータであった場合、前記モニタ情報管理部から取得した前記置き換え条件情報が示す時刻の間、前記モニタ情報に加え、又は、前記モニタ情報に代えて、前記ＨＴＭＬデータの所定の部分に前記モニタ情報管理部から取得した前記伝達情報を付加して第２のモニタ情報付加データとして出力し、
前記ＬＡＮ管理部は、受信した前記第２のモニタ情報付加データを、ＬＡＮで接続され前記ＨＴＭＬデータの受信要求を送出した前記端末に送出する、
ことを特徴とする請求項１或いは請求項２の何れかに記載の通信機器。
【請求項６】
ＬＡＮ側の端末とＷＡＮとの通信接続を行う通信機器が、前記ＷＡＮ側のモニタ情報を常時取得し、
前記ＷＡＮに接続されているサイトなどが前記端末からのリクエストデータを受信して当該リクエストデータに対応するレスポンスデータを前記通信機器に対して返送し、
前記レスポンスデータがＨＴＭＬデータである場合、前記通信機器は、前記ＨＴＭＬデータの所定の部分に、前記モニタ情報をモニタ情報文字列として付加し、前記リクエストデータを送信した前記端末に対し前記モニタ情報を付加したＨＴＭＬデータを送出する、
ことを特徴とする通信機器モニタ情報提供方法。
【請求項７】
前記モニタ情報は、通信回線の瞬断回数、リンクアップ状態、或いは、リンクダウン状態などを示す情報である、
ことを特徴とする請求項６に記載の通信機器モニタ情報提供方法。
【請求項８】
前記モニタ情報は、前記通信回線のリンク速度を示す情報である、
ことを特徴とする請求項７に記載の通信機器モニタ情報提供方法。
【請求項９】
前記モニタ情報は、前記通信回線の実効速度を示す情報である、
ことを特徴とする請求項７に記載の通信機器モニタ情報提供方法。
【請求項１０】
前記通信機器は、ネットワークの運用者からユーザに伝達したい情報であるところの運用者情報取得しておき、
前記運用者情報は伝達情報と置き換え条件情報から構成され、
前記通信機器は、前記置き換え条件情報が示す時刻の間、前記モニタ情報に加え、又は、前記モニタ情報に代えて、前記ＨＴＭＬデータの所定の部分に前記伝達情報を文字列として付加する、
ことを特徴とする請求項７に記載の通信機器モニタ情報提供方法。
【発明の詳細な説明】
【技術分野】
【０００１】
本発明は、通信機器が取得したＷＡＮ（Ｗｉｄｅ  Ａｒｅａ  Ｎｅｔｗｏｒｋ：ワン）側のモニタ（ｍｏｎｉｔｏｒ：監視）情報を、通信機器を使用しているユーザに簡便な手法で提供する、通信機器および通信機器モニタ情報提供方法に関する。
【背景技術】
【０００２】
近年、家庭内や企業内等に設置される端末機器は、通信機器を介してインターネット（Ｉｎｔｅｒｎｅｔ）のようなＷＡＮに接続されるようになっている。
【０００３】
ここで、端末機器とは、ＰＣ（Ｐｅｒｓｏｎａｌ  Ｃｏｍｐｕｔｅｒ：パーソナルコンピュータ）など、ユーザが使用する端末である。また、通信機器とは、モデム（Ｍｏｄｅｍ：変復調装置）や、ネットワーク間を相互接続するルータ（Ｒｏｕｔｅｒ）などである。
さらに、ＷＡＮとは、コンピュータネットワーク、電話交換網、移動体通信網、企業内イントラネット（Ｉｎｔｒａｎｅｔ）などを相互に接続するインターネットなどの通信網である。
【０００４】
そして、上述した通信機器は、通常、ＷＡＮ側のモニタ情報（リンク（Ｌｉｎｋ：通信回線）の状態など）を取得している。取得したＷＡＮ側のモニタ情報はＬＥＤ（Ｌｉｇｈｔ  Ｅｍｉｔｔｉｎｇ  Ｄｉｏｄｅ：発光ダイオード）あるいはＬＣＤ（Ｌｉｑｕｉｄ  Ｃｒｙｓｔａｌ  Ｄｉｓｐｌａｙ：液晶表示装置）などの表示装置によって、ユーザに示すようになっている（例えば、特許文献１参照。）。
【０００５】
上述した特許文献１「通信プロトコル障害解析装置」には以下の記載がなされている。
【０００６】
すなわち、検査条件に従って、検査端末間経路を選択し当該経路のモニタ結果を記録する通信状態記録テーブルを作成する。発信元端末装置から実際に通信を実行し、経路上の通信メッセージ収集装置でモニタした情報を通信メッセージ記録テーブルに記憶させる。通信メッセージ検査手段が収集された通信メッセージから通信状態記録テーブルを更新する。診断実行手段が診断情報データベースと通信状態記録テーブルを参照し、通信メッセージ記録テーブルの内容も考慮して診断結果をディスプレイなどの表示装置に出力する。このことにより、多数の通信機器、通信プロトコルを使用する大規模ネットワークで発生する通信プロトコル障害の解析を効率的に行い、迅速な対応を可能とする、としている。
【０００７】
また、ＡＤＳＬ（Ａｓｙｍｍｅｔｒｉｃ  Ｄｉｇｉｔａｌ  Ｓｕｂｓｃｒｉｂｅｒ  Ｌｉｎｅ：非対称デジタル加入者回線）の各加入者モデムの接続状態及び作動パラメータを一括管理できるようにしているものもある（例えば、特許文献２参照。）。
【０００８】
上述した特許文献２「非対称デジタル加入者ラインサービス品質管理システム」には、以下の記載がなされている。
【０００９】
すなわち、ＡＤＳＬサービス網の各加入者モデムのリンク接続状態とそれによる関連作動パラメータを、グラフィックユーザーインターフェース（ＧＵＩ）を利用して運用者にリアルタイム及び検索照会を通して一括的に提供する。このことにより、各加入者に発生し得る伝送障害等のＡＤＳＬサービス網の問題を事前に予防できるようになる、としている。また、問題発生時には該当ユーザの障害申告前にその問題点を予め把握して速やかに対処できるので、ＡＤＳＬサービス品質を向上させることができる、としている。
【先行技術文献】
【特許文献】
【００１０】
【特許文献１】特開平０８−００８９９８号公報（第３〜６頁、図１〜９）
【特許文献２】特開２００３−２９８７７５号公報（第４〜６頁、図２〜６）
【発明の概要】
【発明が解決しようとする課題】
【００１１】
上述した特許文献１に記載の手法においては、検査端末（すなわち、通信機器）間の経路のモニタ結果を診断した結果をディスプレイなどの表示装置に出力している。しかし、表示装置が、障害解析を行うユーザの近くに有るとは限らず、ユーザが通信機器などの近くまで行って必要な操作等を行い、モニタ情報を目視で確認する必要がある、という課題を有している。
【００１２】
また、特許文献２に記載の手法においては、ネットワークの運用者が、加入者モデム（すなわち、通信機器）に遠隔でアクセスし、遠隔からネットワークを介して、リンク接続状態などのモニタ情報を、ＧＵＩにより入手するようになっている。このとき、運用者は、対象とする通信機器のアドレス等の入力により通信機器にアクセスし、必要とするモニタ情報の取得を指示するという煩わしさがある、という課題を有している。また、通信機器に端末を接続しているユーザが通信機器の状態を知るためには、運用者などを介して情報を提供して貰う必要がある、という課題を有している。
【００１３】
本発明は上述した課題を解決するためになされたものである。従って、本発明の目的は、通信機器が取得したＷＡＮ側のモニタ情報を、通信機器を使用しているユーザに簡便な手法で提供することを可能とする、通信機器および通信機器モニタ情報提供方法、を提供することにある。
【課題を解決するための手段】
【００１４】
本発明の通信機器は、ＷＡＮから受信する主信号を終端して受信主信号として送出する主信号終端部と、前記主信号終端部にて検出する前記ＷＡＮ側のモニタ情報を常時監視し、到来が検出された前記モニタ情報を記憶するモニタ情報管理部と、を備えている。
【００１５】
また、前記受信主信号が、ＨＴＭＬデータであった場合、前記モニタ情報管理部から取得した前記モニタ情報をＨＴＭＬデータの所定の部分に付加してモニタ情報付加データとして出力するデータ管理部を備えている。さらに、受信した前記モニタ情報付加データを、ＬＡＮで接続され前記ＨＴＭＬデータの受信要求を送出した端末に送出するＬＡＮ管理部を備えている。
【００１６】
本発明の通信機器モニタ情報提供方法は、ＬＡＮ側の端末とＷＡＮとの通信接続を行う通信機器が、ＷＡＮ側のモニタ情報を常時取得している。そして、前記ＷＡＮに接続されているサイトなどが前記端末からのリクエストデータを受信して当該リクエストデータに対応するレスポンスデータを前記通信機器に対して返送する。前記レスポンスデータがＨＴＭＬデータである場合、前記通信機器は、前記ＨＴＭＬデータの所定の部分に、前記モニタ情報をモニタ情報文字列として付加する。そして、前記リクエストデータを送信した前記端末に対し前記モニタ情報を付加したＨＴＭＬデータを送出する、ようになっている。
【発明の効果】
【００１７】
本発明によれば、通信機器が取得したＷＡＮ側のモニタ情報を、通信機器を使用しているユーザに簡便な手法で提供することが可能となる。
【図面の簡単な説明】
【００１８】
【図１】本発明の通信機器の第１の実施形態を示すブロック図である。
【図２】ＨＴＭＬデータ内に、モニタ情報管理部から提供されるモニタ情報を付加す            る際の、<TITLE>ヘッダ情報の変更状況の一例を示す図である。
【図３】ブラウザ画面の表示の一例を示す図である。
【図４】本発明の通信機器の第２の実施形態を示すブロック図である。
【図５】本発明の通信機器の第３の実施形態を示すブロック図である。
【図６】本発明の通信機器の第４の実施形態を示すブロック図である。
【発明を実施するための形態】
【００１９】
次に、本発明の実施形態について図面を参照して説明する。
[第１の実施形態]
図１は、本発明の通信機器の第１の実施形態を示すブロック図である。
【００２０】
図１に示す通信機器１００は、ＷＡＮ（Ｗｉｄｅ  Ａｒｅａ  Ｎｅｔｗｏｒｋ：ワン）５０から受信する主信号を終端して受信主信号として送出する主信号終端部２０を含んでいる。
【００２１】
また、通信機器１００は、主信号終端部２０にて検出するＷＡＮ５０側のモニタ（ｍｏｎｉｔｏｒ：監視）情報を常時監視し、到来が検出されたモニタ情報を記憶するモニタ情報管理部４０を含んでいる。ここで、モニタ情報とは、主信号終端部２０とＷＡＮ５０内の図示しない通信機器間の通信回線の瞬断回数や、ＬｉｎｋＵｐ（リンクアップ）／ＬｉｎｋＤｏｗｎ（リンクダウン）状態などをモニタした情報である。ＬｉｎｋＵｐとは、対局装置との間の通信回線が正しく繋がり、信号の送受信が可能となっている状態を示すものである。また、ＬｉｎｋＤｏｗｎとは、通信回線が繋がっていない、対局装置の電源が入っておらず対局装置が稼働していない、或いは、対局装置との通信状態が確立していない等の状態を示すものである。
【００２２】
さらに、通信機器１００は、受信主信号が、ＨＴＭＬデータであった場合、モニタ情報管理部から取得したモニタ情報をＨＴＭＬデータの所定の部分に付加してモニタ情報付加データとして出力するデータ管理部３０を含んでいる。
【００２３】
また、受信したモニタ情報付加データを、ＬＡＮ（Ｌｏｃａｌ  Ａｒｅａ  Ｎｅｔｗｏｒｋ：ラン）で接続され、ユーザが使用する複数の端末６０（６０−１〜６０−ｎ）の何れかに送出するＬＡＮ管理部１０を含んでいる。
【００２４】
また、通信機器１００の主信号終端部２０とデータ管理部３０は、端末６０がＷＡＮ５０に送信するデータを中継することも行う。
【００２５】
ここで、端末６０とは、ＰＣ（Ｐｅｒｓｏｎａｌ  Ｃｏｍｐｕｔｅｒ：パーソナルコンピュータ）など、ＷＡＮ５０との間でデータの送受信を行うユーザが使用する端末である。
【００２６】
また、通信機器とは、モデム（Ｍｏｄｅｍ：変復調装置）や、ネットワーク間を相互接続するルータ（Ｒｏｕｔｅｒ）などである。また、通信機器としては、無線ＬＡＮと有線或いは無線ＬＡＮを接続するワイヤレスアダプタ（Ｗｉｒｅｌｅｓｓ  Ａｄａｐｔｅｒ）、光回線と有線ＬＡＮを接続するメディアコンバータ（Ｍｅｄｉａ  Ｃｏｎｖｅｒｔｅｒ）などを挙げることもできる。通信機器としては、さらに、異なるコンピュータネットワーク間を接続する装置であるところのゲートウェイ（Ｇａｔｅｗａｙ）等、各種の装置を挙げることが出来る。
【００２７】
さらに、ＷＡＮ５０とは、コンピュータネットワーク、電話交換網、移動体通信網、企業内イントラネット（Ｉｎｔｒａｎｅｔ）などを相互に接続するインターネットなどの通信網である。そして、ＷＡＮ５０には、インターネット上で、ホームページ（Ｈｏｍｅ  Ｐａｇｅ）やウェブページ（Ｗｅｂ  Ｐａｇｅ）などにより、特定の情報を提供するサーバーであるところの各種のサイト（ｓｉｔｅ）が接続されている。
【００２８】
次に、図２、図３を参照して、本実施形態の動作について説明する。
【００２９】
図１に示した端末６０は、ＷＡＮ５０に接続されているサイトにアクセスし、端末６０が必要とする様々なインターネット情報（ホームページなど）を取得しようとしているものとする。そのために端末６０は、ウェブページなどを閲覧するための標準的なソフトウェア、すなわち、ブラウザ（ｂｒｏｗｓｅｒ）を用いているものとする。
【００３０】
端末６０は、インターネット情報を取得するために、ＨＴＴＰ（Ｈｙｐｅｒ  Ｔｅｘｔ
Ｔｒａｎｓｆｅｒ  Ｐｒｏｔｏｃｏｌ：ハイパーテキストトランスファープロトコル）により、リクエストデータを送信する。当該リクエストデータは、ＬＡＮ管理部１０にて、ＷＡＮ５０に送信するための送信データに変換され、データ管理部３０、主信号終端部２０を介してＷＡＮ５０に送信される。当該リクエストデータはＷＡＮ５０に接続されたサイトで受信され、当該サイトからは、当該リクエストデータに応じたレスポンスデータが通信機器１００に対して返送される。
【００３１】
当該レスポンスデータは、通信機器１００の主信号終端部２０にて受信され、受信主信号としてデータ管理部３０に送出される。
【００３２】
この間、ＷＡＮ５０側のモニタ情報は、通信機器１００の主信号終端部２０において常時監視されている。そして、主信号終端部２０が受信する主信号のＬｉｎｋＵｐ／ＬｉｎｋＤｏｗｎの状態変化は、モニタ情報管理部４０が記憶している。また、モニタ情報管理部４０は、主信号終端部２０とＷＡＮ５０間の通信回線の瞬断回数なども記憶している。
【００３３】
そして、モニタ情報管理部４０は、例えば、１時間あたりのＬｉｎｋＤｏｗｎ回数や、直近１０分間の瞬断検出回数など、端末６０を使用しているユーザに有益な情報を作成し記憶している。
【００３４】
一方、サイトからのレスポンスデータを受信主信号として受信したデータ管理部３０は、レスポンスデータの内容を解析する。そして、レスポンスデータが、ウェブページ記述のためのマークアップ言語、すなわち、ＨＴＭＬ（Ｈｙｐｅｒ  Ｔｅｘｔ  Ｍａｒｋｕｐ  Ｌａｎｇｕａｇｅ：エイチティーエムエル）形式のデータで有るか否かの判断を行う。レスポンスデータに、「<HTML>と</HTML>」タグで囲まれているデータが有れば、それが、ＨＴＭＬ形式のデータ（以下、ＨＴＭＬデータ、と称す）として認識される。
【００３５】
レスポンスデータがＨＴＭＬデータであった場合、データ管理部３０は、ＨＴＭＬデータの<TITLE>ヘッダ情報内に、モニタ情報管理部４０から提供されるモニタ情報を文字列として付加し、モニタ情報付加データとしてＬＡＮ管理部１０に出力する。ここでのモニタ情報は、例えば、ＬｉｎｋＤｏｗｎ回数や瞬断検出回数、などである。
【００３６】
図２は、ＨＴＭＬデータ内に、モニタ情報管理部４０から提供されるモニタ情報を付加する際の、<TITLE>ヘッダ情報の変更状況の一例を示す図である。
【００３７】
図２において、上部に示したＨＴＭＬデータ２００は、<HTML>タグ（２１行）と</HTML>タグ（２８行）で囲まれているため、データ管理部３０にてＨＴＭＬデータとして認識されたものである。また、<TITLE>と</TITLE>タグ（２３行）に挟まれている文字列は、「sample」というアドレスを持つ「検索」を行うサイトからのレスポンスデータであることを示している。さらに、<BODY>タグ（２５行）と</BODY>タグ（２７行）で囲まれている部分には、前記サイトからのウェブページを表示するための文字列などが記載されている。
【００３８】
図２の中程に示したモニタ情報文字列２０１は、モニタ情報管理部４０から提供されるモニタ情報の文字列の一例を示している。すなわち、ＷＡＮ５０にはＬｉｎｋＤｏｗｎが生じており、その回数は時間（ｈ）あたり２０回である、旨を示すものである。
【００３９】
そして、データ管理部３０は、ＨＴＭＬデータ２００の<TITLE>ヘッダ情報（２３行）内に、モニタ情報管理部４０から提供されたモニタ情報文字列２０１を付加する。図２の下部に示すＨＴＭＬデータ２０２の<TITLE>ヘッダ情報（２３行）には、モニタ情報文字列２０１が付加されている。
【００４０】
データ管理部３０は、図２のＨＴＭＬデータ２０２を生成した後、当該ＨＴＭＬデータをモニタ情報付加データとして通信機器１００のＬＡＮ管理部１０に送出する。
【００４１】
ＬＡＮ管理部１０は、当該ＨＴＭＬデータを受信するためのリクエストデータを送出した端末６０に対し、当該モニタ情報付加データを送出する。当該モニタ情報付加データを受信した端末６０のブラウザ画面には、図３に示すようなウェブページが表示される。
【００４２】
図３は、ブラウザ画面の表示の一例を示す図である。
【００４３】
図３の最上部（３０１行）は、ＨＴＭＬデータの<TITLE>ヘッダ情報を表示している。
この例では、「sample」というアドレスを持つ「検索」を行うサイトからのデータであることを示している。
【００４４】
図３の３０２行は、端末６０が使用しているブラウザの操作項目の一覧を示すメニューバー（ｍｅｎｕ  ｂａｒ）や、機能などを絵文字にして表示するアイコンバー（ｉｃｏｎ
ｂａｒ）を示している。
【００４５】
図３の３０３行は、端末６０がアクセスしたサイトのアドレスを示している。また、３０４行の部分には、サイトから受信したウェブページの表示がなされている。
【００４６】
そして、通信機器１００のデータ管理部３０が、ＨＴＭＬデータの<TITLE>ヘッダ情報に付加したモニタ情報文字列３０５（図２の２０１と同一）が、図３の３０１行の右側に表示されている。つまり、端末６０を使用しているユーザは、ウェブページを閲覧するだけで、ＷＡＮ５０側のモニタ情報を認識することが出来る。
【００４７】
以上、本発明の第１の実施形態の動作について説明した。
【００４８】
以上説明したように、本実施形態の通信機器１００は、ＷＡＮ５０から受信する主信号を終端して受信主信号として送出する主信号終端部２０を含んでいる。また、前記主信号終端部２０にて検出する前記ＷＡＮ５０側のモニタ情報を常時監視し、到来が検出された前記モニタ情報を記憶するモニタ情報管理部４０を含んでいる。
【００４９】
さらに、本実施形態の通信機器１００は、前記受信主信号が、ＨＴＭＬデータであった場合、前記モニタ情報管理部から取得した前記モニタ情報をＨＴＭＬデータの所定の部分に付加してモニタ情報付加データとして出力するデータ管理部を含んでいる。
【００５０】
、また、本実施形態の通信機器１００は、受信した前記モニタ情報付加データを、ＬＡＮで接続され、前記ＨＴＭＬデータの受信要求を送出した端末６０に送出するＬＡＮ管理部を含んでいる。
【００５１】
従って、本実施形態によれば、通信機器が取得したＷＡＮ側のモニタ情報を、通信機器を使用しているユーザに簡便な手法で提供することが可能となる。
[第２の実施形態]
次に、図１に示した第１の実施形態の変形例としての本発明による第２の実施形態について説明する。
【００５２】
図４は、本発明の通信機器の第２の実施形態を示すブロック図である。図４は、図１に示した通信機器１００に機能追加を行い、通信機器１００のＬＡＮ管理部１０とデータ管理部３０についてさらに詳細に説明するブロック図である。従って、図４において、図１の構成要素に対応するものは同一の参照数字または符号を付し、その説明を極力省略するものとする。
【００５３】
図４に示す通信機器１００−１は、図１と同様に、ＷＡＮ５０から受信する主信号を終端して受信主信号として送出する主信号終端部２０を含んでいる。
【００５４】
また、通信機器１００−１は、第２の実施形態で追加した機能であるところの接続制御部７０を含んでいる。接続制御部７０は、主信号終端部２０を介して、ＷＡＮ５０側の通信機器へのダイヤリングを行って回線接続を行い、或いは、回線切断を行う等の通信制御を行う。逆に、ＷＡＮ５０側から通信機器１００−１への接続要求に従って、回線接続の制御なども行う。そして、接続制御部７０は、接続された通信回線のリンク速度を取得し、リンク速度の情報をモニタ情報管理部４０へ送出する。ここで、リンク速度とは、物理的に接続された回線の、理論的な最大速度を示す値である。なお、このリンク速度についても、第１の実施形態におけるＷＡＮ５０側のモニタ情報として扱うものとする。
【００５５】
さらに、通信機器１００−１は、図１と同様に、主信号終端部２０にて検出するＷＡＮ５０側のモニタ情報を、接続制御部７０を介して常時監視し、到来が検出された前記モニタ情報を記憶するモニタ情報管理部４０を含んでいる。ここでのモニタ情報は、第１の実施形態で記載したモニタ情報と同一の情報である。
【００５６】
また、通信機器１００−１は、図１と同様に、データ管理部３０とＬＡＮ管理部１０を含んでいる。以下、ＬＡＮ管理部１０とデータ管理部３０について詳述する。
【００５７】
通信機器１００−１のＬＡＮ管理部１０は、ＬＡＮ信号終端部１２とＬＡＮデータ管理部１４を含んでいる。
【００５８】
ＬＡＮ信号終端部１２は、端末６０から送出されるＬＡＮ信号を終端しＬＡＮデータ管理部１４に送出すると共に、ＬＡＮデータ管理部１４からの信号を端末６０へ中継する。
【００５９】
ＬＡＮデータ管理部１４は、端末６０からＬＡＮ信号終端部１２を介して受信したＬＡＮデータを、ＷＡＮ５０へ送信するためのデータ形式に変換し、データ管理部３０に送出する。また、ＬＡＮデータ管理部１４は、データ管理部３０を介してＷＡＮ５０から受信したデータを、当該データ要求元の端末６０に分配するルーティング（ｒｏｕｔｉｎｇ：経路制御）機能とハブ（ＨＵＢ：集線装置）としての機能を有している。
【００６０】
通信機器１００−１のデータ管理部３０は、ＷＡＮデータ管理部３２と情報挿入部３４を含んでいる。
【００６１】
ＷＡＮデータ管理部３２は、主信号終端部２０を介して受信主信号としてＷＡＮ５０から受信した受信データの内容を解析する。そして、受信データがＨＴＭＬデータであるか否かの判断を行う。受信データがＨＴＭＬデータであった場合、ＨＴＭＬデータである旨の情報を付して受信データを情報挿入部３４に送出する。ＨＴＭＬデータでない場合、受信データをそのまま情報挿入部３４に送出する。
【００６２】
情報挿入部３４は、ＷＡＮデータ管理部３２から受信した受信データに、ＨＴＭＬデータである旨の情報が付されているかを判断する。受信データがＨＴＭＬデータであった場合、情報挿入部３４は、ＨＴＭＬデータの<TITLE>ヘッダ情報内に、モニタ情報管理部４０から提供されるモニタ情報を文字列として付加する。ここでのモニタ情報は、例えば、リンク速度の情報である。そして、情報挿入部３４は、当該ＨＴＭＬデータをモニタ情報付加データとしてＬＡＮ管理部１０に送出する。
【００６３】
ＷＡＮデータ管理部３２から受信した受信データがＨＴＭＬデータでない場合、情報挿入部３４は、受信データをそのままＬＡＮ管理部１０に送出する。
【００６４】
次に、第２の実施形態の動作について説明する。
【００６５】
本発明の第２の実施形態は、図１に示した第１の実施形態の通信機器１００に、接続制御部７０を追加した点だけが異なるものである。従って、第２の実施形態の動作は、第１の実施形態の動作とほぼ同一である。そこで、以下においては、第２の実施形態に特有の動作についてのみ説明するものとする。
【００６６】
すなわち、通信機器１００−１の接続制御部７０は、ＷＡＮ５０側と回線接続を行うたびに、当該回線のリンク速度を、主信号終端部２０を介して取得し、当該リンク速度をモニタ情報管理部４０に送出する。モニタ情報管理部４０は、当該リンク速度の情報をモニタ情報として記憶しておく。
【００６７】
そして、第１の実施形態と同様に、端末６０から送出されたリクエストデータに対応するレスポンスデータが、ＷＡＮ５０から通信機器１００−１に返送されると、当該レスポンスデータは通信機器１００−１の主信号終端部２０にて受信される。そして、当該レスポンスデータは、受信主信号としてデータ管理部３０に送出される。
【００６８】
通信機器１００−１のデータ管理部３０は、当該レスポンスデータがＨＴＭＬデータであるか否かの判断を行い、ＨＴＭＬデータであった場合はＨＴＭＬデータの<TITLE>ヘッダ情報内に、モニタ情報管理部４０から提供されるモニタ情報を文字列として付加する。ここでのモニタ情報は、例えば、リンク速度の情報、及び／又は、第１の実施形態と同様の、通信回線の瞬断回数、リンクアップ状態、リンクダウン状態などを示す情報である。
【００６９】
その他の動作は、第１の実施形態と同一であるため、これ以上の説明を省略する。
【００７０】
以上、本発明の第２の実施形態の動作について説明した。
【００７１】
前述したように、本発明の第２の実施形態は、図１に示した第１の実施形態の通信機器１００に接続制御部７０を追加した点だけが異なるものである。従って、以下において第２の実施形態に特有の箇所に関してのみ説明するものとする。
【００７２】
以上説明したように、本実施形態の通信機器１００−１は、接続制御部７０を含んでいる。接続制御部７０は、ＷＡＮ５０側と回線接続を行うたびに、当該回線のリンク速度を、主信号終端部２０を介して取得し、当該リンク速度をモニタ情報管理部４０に送出する。モニタ情報管理部４０は、当該リンク速度の情報をモニタ情報として記憶しておく。
【００７３】
そして、通信機器１００−１がＨＴＭＬデータを受信した場合、ＨＴＭＬデータの<TITLE>ヘッダ情報内に、モニタ情報管理部４０から提供されるモニタ情報を文字列として付加する。ここでのモニタ情報は、例えば、リンク速度の情報である。
【００７４】
従って、本実施形態によれば、通信機器が取得したＷＡＮ側のモニタ情報（例えば、リンク速度の情報）を、通信機器を使用しているユーザに簡便な手法で提供することが可能となる。
[第３の実施形態]
次に、図４に示した第２の実施形態の変形例としての本発明による第３の実施形態について説明する。
【００７５】
図５は、本発明の通信機器の第３の実施形態を示すブロック図である。図５は、図４に示した通信機器１００−１の接続制御部７０に代えて、パフォーマンス測定部８０を有するように変更したものである。従って、図５において、図４の構成要素に対応するものは同一の参照数字または符号を付し、その説明を極力省略するものとする。
【００７６】
図５に示す通信機器１００−２は、図４と同様に、主信号終端部２０と、データ管理部３０と、ＬＡＮ管理部１０を含んでいる。これら各部は図４と同一であるため、これら各部に関するこれ以上の説明を省略する。
【００７７】
また、通信機器１００−２は、第２の実施形態の通信機器１００−１の接続制御部７０に代えて、パフォーマンス測定部８０を含んでいる。パフォーマンス測定部８０は、主信号終端部２０を介して、ＷＡＮ５０側の通信回線の実効速度をモニタする機能を有している。ここで、実効速度とは、ＷＡＮ５０側の通信回線上のデータ送受信量を測定し、測定結果に基づき、実際に送受信された単位時間あたりのデータ転送量として算出した値のことである。通常、実効速度は、通信回線を同時に使用している端末の数や、ＷＡＮ５０内の図示しない通信機器までの距離、或いは、通信回線の状態など、様々な要因に影響されて変化する値である。そして、パフォーマンス測定部８０は、接続された通信回線の実効速度を取得し、実効速度の情報をモニタ情報管理部４０へ送出する。なお、この実効速度についても、第１の実施形態におけるＷＡＮ５０側のモニタ情報として扱うものとする。
【００７８】
さらに、通信機器１００−２は、図４と同様に、主信号終端部２０にて検出するＷＡＮ５０側のモニタ情報を、パフォーマンス測定部８０を介して常時監視し、到来が検出された前記モニタ情報を管理するモニタ情報管理部４０を含んでいる。ここでのモニタ情報は、第１の実施形態で記載したモニタ情報と同一の情報である。
【００７９】
次に、第３の実施形態の動作について説明する。
【００８０】
本発明の第３の実施形態は、図４に示した第２の実施形態の通信機器１００−１の接続制御部７０に代えて、パフォーマンス測定部８０を有するように変更した点だけが異なるものである。従って、第３の実施形態の動作は、第２の実施形態の動作とほぼ同一である。そこで、以下においては、第３の実施形態に特有の動作についてのみ説明するものとする。
【００８１】
すなわち、通信機器１００−２のパフォーマンス測定部８０は、主信号終端部２０を介して、ＷＡＮ５０側の通信回線の実効速度をモニタし、当該実効速度をモニタ情報管理部４０に送出する。モニタ情報管理部４０は、当該実効速度の情報をモニタ情報として記憶しておく。
【００８２】
そして、第２の実施形態と同様に、端末６０から送出されたリクエストデータに対応するレスポンスデータが、ＷＡＮ５０から通信機器１００−２に返送されると、当該レスポンスデータは通信機器１００−２の主信号終端部２０にて受信される。そして、当該レスポンスデータは、受信主信号としてデータ管理部３０に送出される。
【００８３】
通信機器１００−２のデータ管理部３０は、当該レスポンスデータがＨＴＭＬデータであるか否かの判断を行い、ＨＴＭＬデータであった場合はＨＴＭＬデータの<TITLE>ヘッダ情報内に、モニタ情報管理部４０から提供されるモニタ情報を文字列として付加する。ここでのモニタ情報は、例えば、実効速度の情報である。
【００８４】
その他の動作は、第２の実施形態と同一であるため、これ以上の説明を省略する。
【００８５】
以上、本発明の第３の実施形態の動作について説明した。
【００８６】
前述したように、本発明の第３の実施形態は、図４に示した第２の実施形態の通信機器１００−１の接続制御部７０に代えて、パフォーマンス測定部８０を有するように変更した点だけが異なるものである。従って、以下において第３の実施形態に特有の箇所に関してのみ説明するものとする。
【００８７】
以上説明したように、本実施形態の通信機器１００−２は、パフォーマンス測定部８０を含んでいる。パフォーマンス測定部８０は、主信号終端部２０を介して、ＷＡＮ５０側の通信回線の実効速度をモニタし、当該実効速度をモニタ情報管理部４０に送出する。モニタ情報管理部４０は、当該実効速度の情報をモニタ情報として把握しておく。
【００８８】
そして、通信機器１００−２がＨＴＭＬデータを受信した場合、ＨＴＭＬデータの<TITLE>ヘッダ情報内に、モニタ情報管理部４０から提供されるモニタ情報を文字列として付加する。ここでのモニタ情報は、例えば、実効速度の情報である。
【００８９】
従って、本実施形態によれば、通信機器が取得したＷＡＮ側のモニタ情報（例えば、実効速度の情報）を、通信機器を使用しているユーザに簡便な手法で提供することが可能となる。
[第４の実施形態]
次に、図１に示した第１の実施形態の変形例としての本発明による第４の実施形態について説明する。
【００９０】
図６は、本発明の通信機器の第４の実施形態を示すブロック図である。図６は、図１に示した通信機器１００に機能追加を行い、通信機器１００のＬＡＮ管理部１０とデータ管理部３０についてさらに詳細に説明するブロック図である。従って、図６において、図１の構成要素に対応するものは同一の参照数字または符号を付し、その説明を極力省略するものとする。
【００９１】
図６に示す通信機器１００−３は、図１と同様に、主信号終端部２０と、モニタ情報管理部４０と、ＬＡＮ管理部１０を含んでいる。これら各部は図１と同様であり、ＬＡＮ管理部１０の内部構成は図２と同様であるため、これら各部に関するこれ以上の説明を省略する。
【００９２】
また、通信機器１００−３は、第４の実施形態で追加した機能であるところの、モニタ情報管理部４０に接続する運用者情報管理部９０を含んでいる。
【００９３】
運用者情報管理部９０は、ＷＡＮ５０などのネットワークの運用者が、端末６０のユーザに伝達したい運用者情報を、入力し、又は、図示しない運用者端末から受信し、モニタ情報管理部４０に送出する。
【００９４】
ここで、運用者情報は、伝達情報と置き換え条件情報、を含んでいる。伝達情報は、運用者がユーザに伝達したい情報そのものである。
【００９５】
伝達情報は、例えば、定期的なイベントの告知情報（例えば、ネットワーク監査の日時、など）や、ネットワークメンテナンスの作業開始情報（例えば、回線停止の開始時刻までの残り時間、など）などである。
【００９６】
置き換え条件情報は、モニタ情報管理部４０が有しているモニタ情報、すなわち、ユーザの端末６０のブラウザ画面に表示されているモニタ情報を、伝達情報に置き換える時刻の条件を示す情報である。或いは、モニタ情報に伝達情報を追加する時刻の条件を示す情報である。置き換え条件情報は、例えば、伝達情報が定期的なイベントの告知情報である場合は、昼休みの間（例えば、午後０時から午後１時まで）を条件とする。このような条件情報を指定すると、ユーザの端末６０のブラウザ画面には、昼休みの間の時間帯にのみ、「ネットワーク監査は□□日に行います」というような表示がなされるようになる。また、置き換え条件情報の他の例として、伝達情報がメンテナンス開始時刻までの残り時間である場合は、メンテナンス開始時刻の○分前から１分毎にカウントダウンして表示する、ことを条件とする。このような条件情報を指定すると、ユーザ端末６０のブラウザ画面には、「回線停止時刻まで５分」という表示が、１分ごとにカウントダウンされながら表示されるようになる。
【００９７】
図６に戻り、通信機器１００−３のデータ管理部３０は、ＷＡＮデータ管理部３２と情報挿入部３４−１を含んでいる。ＷＡＮデータ管理部３２は、第２の実施形態（図４）に示したものと同一であるため、これ以上の説明は省略する。
【００９８】
情報挿入部３４−１は、時刻管理機能と、ＨＴＭＬデータ記憶機能を有している。
【００９９】
そして、情報挿入部３４−１は、ＷＡＮデータ管理部３２から受信した受信データに、ＨＴＭＬデータである旨の情報が付されているかを判断する。受信データがＨＴＭＬデータであった場合、情報挿入部３４−１は、ＨＴＭＬデータの<TITLE>ヘッダ情報内に、モニタ情報管理部４０から提供される運用者情報、及び／又は、第１の実施形態と同様のモニタ情報を文字列として付加する。その後、当該ＨＴＭＬデータを第２のモニタ情報付加データとしてＬＡＮ管理部１０に送出する。ＷＡＮデータ管理部３２から受信した受信データがＨＴＭＬデータでない場合、情報挿入部３４−１は、受信データをそのままＬＡＮ管理部１０に送出する。
【０１００】
情報挿入部３４−１が、ＨＴＭＬデータの<TITLE>ヘッダ情報内に、運用者情報を文字列として付加する場合の方法について簡単に説明する。
【０１０１】
先ず、情報挿入部３４−１は、モニタ情報管理部４０から提供される情報の中に、運用者情報が含まれている、と判断したものとする。次に、現在の時刻が、当該運用者情報の置き換え条件情報に示されている時刻に合致するかを判定する。合致する場合は、ＨＴＭＬデータの<TITLE>ヘッダ情報内に、当該運用者情報の伝達情報を文字列として付加する。そして、当該ＨＴＭＬデータを、情報挿入部３４−１内に記憶しておく。現在の時刻が、当該運用者情報の置き換え条件情報に示されている時刻に合致しない場合、何もせず、ここでの処理を終了する。
【０１０２】
なお、当該ＨＴＭＬデータを記憶しておくのは、最初に当該ＨＴＭＬデータをＬＡＮ管理部１０に送出した後、情報挿入部３４−１は、例えば１分ごとの時刻が、置き換え条件情報に示されている時刻に合致するかを判定する。そして、合致する場合、当該時刻に表示する伝達情報が変化していれば（例えば、回線停止時刻までの残り時間、など）、当該ＨＴＭＬデータの<TITLE>ヘッダ情報内の伝達情報を変更する。次に、変更した<TITLE>ヘッダ情報をＬＡＮ管理部１０に送出する。合致する場合であっても、当該時刻に表示する伝達情報が変化していなければ（例えば、イベントの告知情報、など）なにも行わない。
【０１０３】
また、現在の時刻が、置き換え条件情報に示されている時刻から外れた場合、<TITLE>ヘッダ情報内の伝達情報を消去する。次に、伝達情報を消去した<TITLE>ヘッダ情報をＬＡＮ管理部１０に送出する。そして、情報挿入部３４−１に記憶したＨＴＭＬデータを消去する。
【０１０４】
次に、第４の実施形態の動作について説明する。
【０１０５】
本発明の第４の実施形態は、図１に示した第１の実施形態の通信機器１００に、運用者情報管理部９０を追加し、通信機器１００のＬＡＮ管理部１０とデータ管理部３０についてさらに詳細に説明した点が異なるものである。また、データ管理部３０については、第２の実施形態で示した情報挿入部３４を、情報挿入部３４−１に変更した点だけが異なるものである。従って、第４の実施形態の動作は、第１の実施形態の動作とほぼ同一である。そこで、以下においては、第４の実施形態に特有の動作についてのみ説明するものとする。
【０１０６】
すなわち、通信機器１００−３の運用者情報管理部９０には、ネットワークの運用者が予め、端末６０のユーザに伝達したい運用者情報、すなわち、伝達情報と置き換え条件情報、を入力しておく。運用者情報管理部９０は、当該運用者情報をモニタ情報管理部４０に送出しておく。モニタ情報管理部４０は、当該運用者情報を記憶し、ＷＡＮ５０側のモニタ情報と同様の形で記憶しておく。
【０１０７】
そして、第１の実施形態と同様に、端末６０から送出されたリクエストデータに対応するレスポンスデータが、ＷＡＮ５０から通信機器１００−３に返送されると、当該レスポンスデータは通信機器１００−３の主信号終端部２０にて受信される。そして、当該レスポンスデータは、受信主信号としてデータ管理部３０に送出される。
【０１０８】
通信機器１００−３のデータ管理部３０は、当該レスポンスデータがＨＴＭＬデータであるか否かの判断を行い、ＨＴＭＬデータであった場合はＨＴＭＬデータの<TITLE>ヘッダ情報内に、モニタ情報管理部４０から提供される運用者情報、及び／又は、第１の実施形態と同様のモニタ情報を文字列として付加する。
【０１０９】
通信機器１００−３のデータ管理部３０は、運用者情報、及び／又は、第１の実施形態と同様のモニタ情報を文字列として付加したＨＴＭＬデータを、第２のモニタ情報付加データとしてＬＡＮ管理部１０に送出する。なお、運用者情報を付加したＨＴＭＬデータを送出した場合、上述したように、現在の時刻が、運用者情報の置き換え条件情報に示されている時刻から変化した場合、或いは、外れた場合などには、<TITLE>ヘッダ情報内の伝達情報が変更、或いは消去される。そして、伝達情報を変更或いは消去した<TITLE>ヘッダ情報を、再度、第２のモニタ情報付加データとしてＬＡＮ管理部１０に送出する。ＬＡＮ管理部１０は、受信した第２のモニタ情報付加データを、図１で説明したと同様に、当該ＨＴＭＬデータを受信するためのリクエストデータを送出した端末６０に対し、送出する。
【０１１０】
その他の動作は、第１の実施形態と同一であるため、これ以上の説明を省略する。
【０１１１】
以上、本発明の第４の実施形態の動作について説明した。
【０１１２】
前述したように、本発明の第４の実施形態は、図１に示した第１の実施形態の通信機器１００に運用者情報管理部９０を追加した点、及び、第２の実施形態の情報挿入部３４を情報挿入部３４−１に変更した点、だけが異なるものである。従って、以下において第４の実施形態に特有の箇所に関してのみ説明するものとする。
【０１１３】
以上説明したように、本実施形態の通信機器１００−３は、運用者情報管理部９０を含んでいる。
【０１１４】
通信機器１００−３の運用者情報管理部９０には、ネットワークの運用者が予め、端末６０のユーザに伝達したい運用者情報、すなわち、伝達情報と置き換え条件情報、を入力しておく。運用者情報管理部９０は、当該運用者情報をモニタ情報管理部４０に送出しておく。モニタ情報管理部４０は、当該運用者情報を記憶し、ＷＡＮ５０側のモニタ情報と同様の形で記憶しておく。
【０１１５】
そして、通信機器１００−３がＨＴＭＬデータを受信した場合、ＨＴＭＬデータの<TITLE>ヘッダ情報内に、モニタ情報管理部４０から提供される運用者情報、及び／又は、第１の実施形態と同様のモニタ情報を文字列として付加する。
【０１１６】
通信機器１００−３のデータ管理部３０は、運用者情報、及び／又は、第１の実施形態と同様のモニタ情報を文字列として付加したＨＴＭＬデータを、第２のモニタ情報付加データとしてＬＡＮ管理部１０に送出する。なお、運用者情報を付加したＨＴＭＬデータを送出した場合、現在の時刻が、運用者情報の置き換え条件情報に示されている時刻から変化した場合、或いは、外れた場合などには、<TITLE>ヘッダ情報内の伝達情報が変更、或いは消去される。そして、伝達情報を変更或いは消去した<TITLE>ヘッダ情報を、再度、ＬＡＮ管理部１０に送出する。
【０１１７】
従って、本実施形態によれば、通信機器が取得した運用者情報（例えば、定期的なイベントの告知情報や、ネットワークメンテナンスの作業開始情報、など）を、通信機器を使用しているユーザに簡便な手法で提供することが可能となる。
【符号の説明】
【０１１８】
１０    ＬＡＮ管理部
１２    ＬＡＮ信号終端部
１４    ＬＡＮデータ管理部
２０    主信号終端部
３０    データ管理部
３２    ＷＡＮデータ管理部
３４    情報挿入部
３４−１    情報挿入部
４０    モニタ情報管理部
５０    ＷＡＮ
６０    端末
７０    接続制御部
８０    パフォーマンス測定部
９０    運用者情報管理部
１００    通信機器
１００−１    通信機器
１００−２    通信機器
１００−３    通信機器
【図１】
2012065156.tif 000003
【図２】
2012065156.tif 000004
【図３】
2012065156.tif 000005
【図４】
2012065156.tif 000006
【図５】
2012065156.tif 000007
【図６】
2012065156.tif 000008